(57)【要約】【課題】例え芯体の揮発側先端部が横外方に倒れ込んで広がった状態で使用している場合でも、液ダレを起こすことを抑制することができる液体収納容器を提供する。【解決手段】上部に口部を備えた容器本体１と芯体２とを備え、芯体２の揮発量を増大可能とすべく芯体２の揮発側先端部２Ａが横外方に倒れ込んで広がるように構成され、芯体２の揮発側先端部２の倒れ込み角度を調整するための角度調整部材を口部１Ａに備えた液体収納容器であって、角度調整部材が、口部１Ａの内側に嵌められ、かつ、芯体２を差し込んで保持する保持部８を有する中栓３から構成され、中栓３の保持部８に、芯体２の揮発側先端部２の倒れ込み角度を調整する調整部８Ｂを備えている。【選択図】図４
2014189293.tif 000002
【特許請求の範囲】
【請求項１】
上部に口部を備えた容器本体と、前記口部から容器本体内に挿入され、該容器本体に収納される液体を吸い上げて揮発させるための芯体とを備え、前記芯体の揮発量を増大可能とすべく該芯体の揮発側先端部が横外方に倒れ込んで広がるように構成され、前記芯体の揮発側先端部の倒れ込み角度を調整するための角度調整部材を前記口部に備えた液体収納容器であって、
前記角度調整部材が、前記口部の内側に嵌められ、かつ、前記芯体を差し込んで保持する保持部を有する中栓から構成され、該中栓の保持部の内方側に、前記芯体の揮発側先端部の倒れ込み角度を調整する調整部を備えていることを特徴とする液体収納容器。
【請求項２】
前記調整部は、前記芯体の揮発側先端部が当接する当接部から構成され、前記保持部への芯体の差し込み量を変更することにより前記当接部に対する該芯体の揮発側先端部との当接位置が変更されて該芯体の揮発側先端部の倒れ込み角度が調整されることを特徴とする請求項１に記載の液体収納容器。
【請求項３】
前記芯体の揮発側先端部とは反対側となる基端部に、端部側ほど先細りとなる先細り部を備えていることを特徴とする請求項１又は２に記載の液体収納容器。
【請求項４】
前記芯体の揮発側先端部が前記当接部に当接している状態において、該当接部から前記保持部の外側に移動する液体を受け止める溝部を備えていることを特徴とする請求項２又は３に記載の液体収納容器。
【請求項５】
前記溝部は、前記容器本体の内部と連通する貫通孔を備えていることを特徴とする請求項４に記載の液体収納容器。
【請求項６】
前記液体が、液体芳香剤、液体消臭剤、液体脱臭剤、加湿用の水のいずれかである請求項１〜５のいずれか１項に記載の液体収納容器。
【発明の詳細な説明】
【技術分野】
【０００１】
本発明は、容器本体に収納される液体を吸い上げて外気中に揮発（拡散）させるための液体収納容器に関する。
【背景技術】
【０００２】
かかる液体収納容器の一例である芳香剤収納容器は、上部に筒状の口部を備えた容器本体と、この容器本体に収納される液体芳香剤を吸い上げて揮発させるための芯体とを備え、この芯体の揮発量を増大可能とすべく芯体の揮発側先端部が横外方に倒れ込んで広がるように構成され、横外方に倒れ込む芯体の倒れ込み角度を調整するための角度調整部材を口部に備えたものが提案されている（例えば、特許文献１参照）。
【０００３】
前記角度調整部材は、容器本体の口部の外面に形成されている雄ねじに外側から螺合する雌ねじが内面に形成された外側筒状部と、この外側筒状部の上端から内側へ延びるフランジ部とからなっている。そして、容器本体内に口部を通して芯体を差し込んだ状態において、角度調整部材を芯体の上方から口部にねじ込む。これによって、横外方に倒れ込もうとする芯体の揮発側先端部の先端をフランジ部の内面に当接させて芯体が広がることがないようにしている。これは、芯体の揮発量を少量に抑えることができる状態である。この状態から、角度調整部材を口部に更にねじ込むことによって、角度調整部材を芯体に対して下方へ移動させると、芯体の揮発側先端部とフランジ部との当接が解除された状態になる。これにより、芯体の揮発側先端部が横外方に倒れ込んで広がり、芯体の揮発量を増大させることができる。
【先行技術文献】
【特許文献】
【０００４】
【特許文献１】実開昭５６−１６０５４６号公報
【発明の概要】
【発明が解決しようとする課題】
【０００５】
上記特許文献１の構成によれば、角度調整部材が口部の外側に螺合されているため、芯体の揮発側先端部が横外方に倒れ込んで広がった状態で使用していると、芯体に吸い上げられる液体芳香剤が、芯体におけるフランジ部に接触している部分からフランジ部側へ移動してしまう。この移動した液体芳香剤が、フランジ部の底面（下面）と口部の上面との間の隙間に入り込む（浸透する）。この隙間に入り込んだ液体芳香剤が、外側筒状部の内面と容器本体の口部の外面との間の隙間を通して容器本体の外面に排出されてしまう（液ダレを起こしてしまう）という不都合が発生することがあった。
【０００６】
本発明が、前述の状況に鑑み解決しようとするところは、例え芯体の揮発側先端部が横外方に倒れ込んで広がった状態で使用している場合でも、液ダレを起こすことを抑制することができる液体収納容器を提供することを課題とする。
【課題を解決するための手段】
【０００７】
本発明の液体収納容器は、前述の課題解決のために、上部に口部を備えた容器本体と、前記口部から容器本体内に挿入され、該容器本体に収納される液体を吸い上げて揮発させるための芯体とを備え、前記芯体の揮発量を増大可能とすべく該芯体の揮発側先端部が横外方に倒れ込んで広がるように構成され、前記芯体の揮発側先端部の倒れ込み角度を調整するための角度調整部材を前記口部に備えた液体収納容器であって、前記角度調整部材が、前記口部の内側に嵌められ、かつ、前記芯体を差し込んで保持する保持部を有する中栓から構成され、該中栓の保持部の内方側に、前記芯体の揮発側先端部の倒れ込み角度を調整する調整部を備えていることを特徴としている。
【０００８】
上記構成によれば、角度調整部材が、容器本体の口部の内側に嵌められる中栓から構成されているから、芯体を差し込んで保持する保持部の内面が容器本体の口部の内面よりも内側に位置する。このため、中栓の保持部に備えている調整部で芯体の揮発側先端部の倒れ込み角度が調整されている状態において、芯体の揮発側先端部に吸い上げられた液体が、調整部から保持部の内面を伝って容器本体内へ戻る。従って、芯体の揮発側先端部に吸い上げられた液体が、容器本体の外面に排出される（液ダレする）ことを抑制することができる。
【０００９】
また、本発明の液体収納容器は、前記調整部は、前記芯体の揮発側先端部が当接する当接部から構成され、前記保持部への芯体の差し込み量を変更することにより前記当接部に対する該芯体の揮発側先端部との当接位置が変更されて該芯体の揮発側先端部の倒れ込み角度が調整されるよう構成されていてもよい。
【００１０】
上記構成にしておけば、保持部への芯体の差し込み量を調整することにより横外方に倒れ込む芯体の揮発側先端部が保持部の内側の当接部に当接する。この当接によって、芯体の揮発側先端部の倒れ込み角度を保持できる。
【００１１】
また、本発明の液体収納容器は、前記芯体の揮発側先端部とは反対側となる基端部に、端部側ほど先細りとなる先細り部を備えていてもよい。
【００１２】
芯体は、口部から容器本体内に挿入された状態で液体を吸い上げ拡散（揮発）するものであることから、基端部は容器本体の底付近にまで到達していることが望ましい。
しかし、角度調整のための差込量が多くなると、基端部が底に当接してしまうことがある。そこで、上記構成とすることで、底に当接した基端部の変形が促進されるので、差込量を確保できる。
【００１３】
また、本発明の液体収納容器は、前記芯体の揮発側先端部が前記当接部に当接している状態において、該当接部から前記保持部の外側に移動する液体を受け止める溝部を備えていてもよい。
【００１４】
上記構成にしておけば、液体が保持部の外側に移動することがあっても、この移動した液体を溝部で受け止めることができ、液体が容器本体の外面に排出される（液ダレする）ことをより一層確実に抑制することができる。
【００１５】
また、本発明の液体収納容器は、前記溝部が、前記容器本体の内部と連通する貫通孔を備えていてもよい。
【００１６】
上記構成にしておけば、溝部に移動した液体は、貫通孔を通して容器本体の内部に戻される。それ結果、液体を必要以上に揮発させることがない。
【発明の効果】
【００１７】
本発明によれば、角度調整部材を、容器本体の口部の内側に嵌められる中栓から構成することによって、例え芯体の揮発側先端部が横外方に倒れ込んで広がった状態で使用している場合でも、液ダレを起こすことを抑制することができる液体収納容器を提供することができる。
【図面の簡単な説明】
【００１８】
【図１】本発明の液体収納容器の一例である芳香剤収納容器を示し、（ａ）は斜視図であり、（ｂ）は分解斜視図である。
【図２】同芳香剤収納容器に備える中栓を示し、（ａ）は上から見た斜視図、（ｂ）は下から見た斜視図、（ｃ）は平面図、（ｄ）は側面図、（ｅ）は図２（ｄ）におけるＡ−Ａ線断面図である。
【図３】芯体が最大角度に倒れ込んだ状態を示す一部省略した縦断面図である。
【図４】（ａ）は最大角度に倒れ込んだ芯体の揮発側先端部を中栓の当接部で当接支持している状態を示す一部省略した縦断面図、（ｂ）は、最大角度よりも小さな所定角度に倒れ込んだ芯体の揮発側先端部を中栓の当接部で当接支持している状態を示す一部省略した縦断面図である。
【図５】芯体の揮発側先端部が、最大角度に倒れ込んだ状態から最大角度よりも小さな所定角度に倒れ込んだ状態に切り替わった状態を示す縦断面図である。
【図６】他の形態の芯体を示し、芯体の揮発側先端部が、最大角度に倒れ込んだ状態から最大角度よりも小さな所定角度に倒れ込んだ状態に切り替わった状態を示す縦断面図である。
【図７】他の形態の中栓を内嵌した芳香剤収納容器の一部を省略した縦断面図である。
【図８】他の形態の中栓を内嵌した芳香剤収納容器の一部を省略した縦断面図であり、（ａ）は、芯体が最大角度よりも小さな所定角度に倒れ込んだ状態を示し、（ｂ）は、芯体が最大角度に倒れ込んだ状態を示している。
【発明を実施するための形態】
【００１９】
図１（ａ）に、本発明の液体収納容器の一例である芳香剤収納容器を示し、この芳香剤収納容器は、容器本体１と、芯体２と、中栓３とを備えている。この芳香剤収納容器は、トイレや室内の他、自動車の車内等で使用できる。尚、図１（ｂ）は、図１（ａ）の芳香剤収納容器を分解した斜視図である。ここでは、液体収納容器として、芳香剤収納容器を示しているが、液体消臭剤又は液体脱臭剤を収納する容器であってもよいし、加湿用の水を収納する加湿用の水収納容器であってもよい。
【００２０】
前記容器本体１は、例えば合成樹脂（ガラス又は木あるいは金属等でもよい）から構成され、上部に上端が開口された円筒状の口部１Ａと、口部１Ａの下部に口部１Ａを通して投入された液体芳香剤を収納するための収納部１Ｂとを備える。
【００２１】
口部１Ａの外面には、ねじ部１Ｎが形成されており、図１（ｂ）において芯体２が差し込まれていない状態で図示していないキャップをねじ込むことで液体芳香剤（図示せず）が入った容器本体１を密閉して運搬することができる。尚、容器本体１の内側に嵌められる中栓３がキャップとのシール材の役割を果たす。
【００２２】
収納部１Ｂは、口部１Ａの外形寸法よりも大きな外形寸法に構成されている。
【００２３】
芯体２は、容器本体１に収納されている液体芳香剤（図示せず）を吸い上げ、かつ、吸い上げた液体芳香剤を揮発させて香りを外気中に放出させる。
【００２４】
芯体２としては、フェルト、不織布、濾紙等の吸水性素材からなる繊維を束ねた後、芯体２の長手方向の一端側となる揮発側先端部を除いた部分を円柱状に固める。これによって、固められていない揮発側先端部２Ａ、つまり上端部が横外方に多数に分離して倒れ込んで広がるように構成されている（図３参照）。従って、芯体２の揮発側先端部２Ａが横外方に倒れ込んで広がることによって、芯体２に吸い上げた液体芳香剤の揮発量を増大させることができる。また、芯体２の揮発側先端部２Ａとは反対側となる基端部２Ｂに、端部側ほど先細りとなる先細り部２Ｓを備えている。この先細り部２Ｓは、図示していない切断機により斜めにカットされた形状に構成されている（図１（ｂ）参照）。
【００２５】
中栓３は、例えば合成樹脂（ガラス又は木あるいは金属等でもよい）から構成され、図２（ａ）〜（ｅ）及び図３に示すように、口部１Ａに固定される固定部６と、固定部６に連結部７を介して連結され内側に位置して芯体２を保持する保持部８とを備えている。
【００２６】
固定部６は、口部１Ａの上面１ａに当接するドーナツ状のフランジ部６Ａと、該フランジ部６Ａの内側縁から下方へ延びて口部１Ａに内側に嵌合する円筒状の嵌合部６Ｂとを備えている。尚、口部１Ａに図示していないキャップを嵌めたときに、フランジ部６Ａがキャップと口部１Ａとの間のシール部として機能する。
【００２７】
連結部７は、嵌合部６Ｂの下端から保持部８に向かうほど下方に位置する円錐状に構成されている。
【００２８】
保持部８は、連結部７の内側端から上下方向に延びる円筒形状に構成されている。この保持部８の上端面８Ａの位置が、フランジ部６Ａの上面６ａの位置よりも高くなるように保持部８の上端が上方に延びている。このように構成することによって、芯体２の揮発側先端部２Ａの倒れ込み角度が、図３に示す最大角度（外側に位置する揮発側先端部２Ａの角度が垂直に対して水平となる９０度の角度）となった状態であっても、倒れ込んだ芯体２の揮発側先端部２Ａがフランジ部６Ａの上面６ａに当接することがない。
【００２９】
また、この保持部８を有する中栓３が、横外方に倒れ込む芯体２の揮発側先端部２Ａの倒れ込み角度を調整するための角度調整部材を構成している。そして、角度調整部材３の保持部８の内方側、つまり保持部８の上端面８Ａの内縁よりも内側となる部分に、芯体２の倒れ込み角度を調整する調整部８Ｂを備えている。また、保持部８の下端の内面には、複数（ここでは３つであるが２つ又は１つあるいは４つ以上でもよい）の爪９を備えている。これら爪９は、保持部８に芯体２を上から下へ挿入する際には、芯体２の移動をスムーズに行うことができながらも、挿入した後の芯体２を上へ移動する際に芯体２に食い込んで上への移動に抵抗を与える。各爪９は、下方側ほど内側に突出する突出量が増大する三角形状に構成されている。
【００３０】
調整部８Ｂは、芯体２の揮発側先端部２Ａが当接する当接部から構成されている。そして、保持部８への芯体２の差し込み量を調整することによって、当接部８Ｂに対する芯体２の揮発側先端部２Ａとの当接位置が変更される。これにより芯体２の揮発側先端部２Ａの倒れ込み角度が調整されるよう構成されている。
【００３１】
当接部８Ｂは、図４（ａ）に示すように、芯体２の揮発側先端部２Ａが、最大角度に倒れ込んだ状態で揮発側先端部２Ａの先端側とは反対側となる基端側の端部分２ａに当接する第１当接部８ａと、図４（ｂ）に示すように、最大角度よりも小さな所定角度に倒れ込んだ芯体２の揮発側先端部２の基端側の端部分２ａよりも先端側の部分２ｂに当接する第２当接部８ｂとから構成されている。
【００３２】
第１当接部８ａは、保持部８の上端面８Ａの内縁から下方側ほど内側に位置する傾斜面から構成され、第２当接部８ｂは、第１当接部８ａの下端と保持部８の内面８Ｕの上端部とを繋ぐ角部から構成されている。芯体２の揮発側先端部２Ａが最大角度に近くなるほど、芯体２の揮発側先端部２Ａが第１当接部８ａに当接してその角度を保持し、芯体２の揮発側先端部２Ａが最大角度から遠のくに従って、芯体２の揮発側先端部２Ａが第２当接部８ｂに当接してその角度を保持する。尚、図３では、芯体２の揮発側先端部２Ａが最大角度になっているが、芯体２の揮発側先端部２Ａが第１当接部８ａに当接していない自由状態を示している。
【００３３】
嵌合部６Ｂの内面６ｂと保持部８の外面８ｄとの間には、芯体２の揮発側先端部２Ａが保持部８の当接部８ａ又は８ｂに当接している状態において、保持部８から保持部８の外側に移動する液体芳香剤を受け止める溝部１０が形成されている。具体的には、溝部１０は、嵌合部６Ｂと連結部７と保持部８とで形成される。
【００３４】
溝部１０を構成する連結部７には、本体容器１の内部と連通する複数（図では３つであるが、１つ又は２つあるいは４つ以上でもよい）の貫通孔１１を備えている。これらの貫通孔１１は、容器本体１の内圧が高くなって液体芳香剤が上方へ移動して液漏れすることがないようにするための孔であるとともに、後述する溝部１０に移動した液体芳香剤を容器本体１の内部に戻すための孔でもある。
【００３５】
前記のように構成された芳香剤収納容器の使用方法について説明する。まず、液体芳香剤が貯留された容器本体１の口部１Ａに中栓３が内嵌されてから、キャップ（図示せず）を外嵌することにより容器本体１を密閉状態にする。このように構成された容器本体１と芯体２とを用意し、これらを使用する場所まで移動させる。
【００３６】
移動後において、キャップを外して容器本体１の口部１Ａの中栓３に上方から芯体２を差し込む。このように芯体２を差し込んでいくと、芯体２の上端部が、図３及び図５の左側に示すように、横外方に倒れ込んで広がり、芯体２の倒れ込み角度が最大となった状態になる。この倒れ込み角度が最大となった状態から、芯体２を図５の左側の矢印のように中栓３に押し込むことによって、図５の右側に示すように、芯体２の倒れ込み角度が最大角度よりも小さな所定角度となった状態に角度調整することができる。つまり保持部８への芯体２の差し込み量を調整することにより横外方に倒れ込む芯体２の揮発側先端部２Ａの基端側の端部分２ａよりも先端側の部分２ｂが保持部８の第２当接部８ｂに当接して芯体２の揮発側先端部２Ａの倒れ込み角度が調整される（図４（ｂ）及び図５右側の図を参照）。このように倒れ込み角度を調整することによって、芯体２の揮発量を増減させることができる。芯体２の揮発量を増減させるのは、外気中に放出する香りを増減したい場合の他、香りを放出する期間を例えば一ヶ月にしたい場合に、温度や湿度等により変化する揮発量を調整したい場合等が考えられる。
【００３７】
前述のように、角度調整部材が、容器本体１の口部１Ａの内側に嵌められる中栓３から構成されているから、芯体２を差し込んで保持する保持部８の内面８Ｕが容器本体１の口部１Ａの内面１Ｕよりも内側に位置する。このため、中栓３の保持部８に備えている調整部８Ｂで芯体２の揮発側先端部２Ａの倒れ込み角度が調整されている状態において、芯体２の揮発側先端部２Ａに吸い上げられた液体芳香剤は、揮発側先端部２Ａが当接している調整部８Ｂから保持部８の内面８Ｕを伝って容器本体１内へ戻る。従って、芯体２の揮発側先端部２Ａに吸い上げられた液体芳香剤が、容器本体の外面に排出される（液ダレする）ことを抑制することができる。
【００３８】
また、芯体２に先細り部２Ｓを備えさせていることから、芯体２を押し込む際に先細り部２Ｓが他の部分に比べて変形し易くなり、図５に示すように、芯体２の基端部２Ｂを容器本体１の底面１Ｔに当接させて芯体２を短縮側へ操作することを容易に行える。
【００３９】
また、芯体２の揮発側先端部２Ａが保持部８に当接している状態において、保持部８から保持部８の外側に移動する液体芳香剤を受け止める溝部１０を備えていることから、例え、液体芳香剤が保持部８から保持部８の外側へ移動することがあっても、この移動した液体芳香剤を溝部１０で受け止めることができ、液体芳香剤が容器本体１の外部に排出される（液ダレする）ことをより一層確実に抑制することができる。また、溝部１０に移動した液体芳香剤は、貫通孔１１，１１，１１を通して容器本体１の内部に戻すことができる。
【００４０】
尚、本発明は、前記実施形態に限定されるものではなく、本発明の要旨を逸脱しない範囲で種々の変更が可能である。
【００４１】
前記実施形態では、芯体２の基端部２Ｂを斜めにカットした先細り部２Ｓとしたが、図６に示すように、芯体２の中心に貫通孔２Ｋを形成し、この貫通孔２Ｋに貫通孔２Ｋの内径よりも僅かに小さな外径を有する細い芯２Ｈを上下動自在に挿入し、貫通孔２Ｋに芯２Ｈが入り込む程、中栓３へ芯体２を押し込むことができるように構成されている（図６の左側から右側の図を参照）。尚、芯体２以外は、図５と同様な構成であるため、同一符号を付すと共に説明を省略する。
【００４２】
また、前記実施形態では、保持部８から保持部８の外側に移動する液体芳香剤を受け止める溝部１０を中栓３に備えさせたが、図７に示すように、溝部１０の無い中栓３であってもよい。この中栓３は、容器本体１の口部１Ａの上端に当接するフランジ部３Ａと、フランジ部３Ａの内側縁から上下方向に延びるとともに芯体２を保持する円筒状部３Ｂとから構成されている。この場合、円筒状部３Ｂの内面３Ｈの上端の角部分３ｈが、芯体２の揮発側先端部２Ａが当接する当接部（調整部）となる。
【００４３】
また、前記実施形態では、当接部８Ｂを傾斜面からなる第１当接部８ａと角部からなる第２当接部８ｂの２つの当接部から構成したが、保持部８の上端部に傾斜面を形成しないで、保持部８の内面の上端の角部からなる１つの当接部のみで構成することもできるし、３つ以上の当接部から構成してもよく、当接部８Ｂの具体的構成は、自由に変更することができる。
【００４４】
また、前記実施形態では、保持部８の上端面８Ａをフランジ部６Ａの上面６ａよりも上方に位置させた中栓３を構成したが、図８（ａ），（ｂ）に示すように、中栓３を構成してもよい。つまり、中栓３が、芯体２を保持する保持部１２と、この保持部１２の上端から横外方へ延びるフランジ部１３とから構成されている。保持部１２は、フランジ部１３の内側縁から下方に延びる円筒部１２Ａと、円筒部１２Ａの下端から内側へ延びる円盤部１２Ｂと、円筒部１２Ａの内面と円盤部１２Ｂの上面（内面）との間を連結しかつ周方向に所定間隔を置いて内側に突出するように形成された複数の縦向きのリブ１２Ｃとから構成されている。そして、図８（ａ）に示すように、芯体２の揮発側先端部２Ａが当接して揮発側先端部２Ａを所定角度に保持する当接部１２Ｔが円筒部１２Ａの内面１２Ｕの上端角部に形成されている。また、フランジ部１３の上面１３Ａには、内外に高さの異なる複数（図では２つ）の環状の突起１４，１５が形成されており、芯体２の揮発側先端部２Ａが略水平に開いた最大角度において、背の高い内側の突起１４に、倒れ込んだ芯体２の揮発側先端部２Ａが接触してその角度を保持することができる。前記外側に設けた突起１５が、芯体２の揮発側先端部２Ａが接触している内側の突起１４から外部へ移動する液体芳香剤を堰き止めることができる堰き止め部材として機能できるようにしている。図８では、複数の突起１４，１５を備えた構成であるが、１つの突起を備えた場合であってもよいし、場合によっては、突起のない構成であってもよい。
【００４５】
また、前記実施形態では、調整部８Ｂが、保持部８の上端面８Ａの内縁から下方側ほど内側に位置する傾斜面と、この傾斜面の下端と保持部８の内面８Ｕの上端部とを繋ぐ角部とから構成したが、保持部８のどの部位に設けてもよい。例えば、保持部８に上端面が無い場合、つまり保持部８の外側上端から内側ほど下方に位置する傾斜面を備えている場合には、その傾斜面が調整部８Ｂを構成することになる。また、保持部８の内面に、該内面から径方向内側へ突出して芯体２を保持する突出部が設けられている場合には、その突出部の内面が芯体２を保持しつつ調整部を構成することになる。要するに、調整部は、保持部の内方側であれば、どのような位置にあってもよい。
【００４６】
また、前記実施形態では、中栓が口部に着脱可能に備えたものを示したが、中栓が口部に固定されたものであってもよい。
【符号の説明】
【００４７】
１…容器本体、１Ａ…口部、１Ｂ…収納部、１Ｎ…ねじ部、１Ｔ…底面、１Ｕ…内面、１ａ…上面、２…芯体、２Ａ…揮発側先端部（上端部）、２Ｂ…基端部、２Ｈ…芯、２Ｋ…貫通孔、２Ｓ…先細り部、２ａ…端部分、２ｂ…部分、３…中栓（角度調整部材）、３Ａ…フランジ部、３Ｂ…円筒状部、３Ｈ…内面、３ｈ…上端部分、６…固定部、６Ａ…フランジ部、６Ｂ…嵌合部、６ａ…上面、６ｂ…内面、７…連結部、８…保持部、８Ａ…上端面、８Ｂ…調整部、８Ｂ…当接部、８Ｂ…調整部、８Ｂ…当接部、８Ｕ…内面、８ａ…第１当接部、８ｂ…第２当接部、８ｄ…外面、９…爪、１０…溝部、１１…貫通孔、１２…保持部、１２Ａ…円筒部、１２Ｂ…円盤部、１２Ｃ…リブ、１２Ｔ…当接部、１２Ｕ…内面、１３…フランジ部、１３Ａ…上面、１４，１５…突起
【図１】
2014189293.tif 000003
【図２】
2014189293.tif 000004
【図３】
2014189293.tif 000005
【図４】
2014189293.tif 000006
【図５】
2014189293.tif 000007
【図６】
2014189293.tif 000008
【図７】
2014189293.tif 000009
【図８】
2014189293.tif 000010